(57)【要約】【課題】本考案の目的は、漆などを損傷することなく展示品、仏具などを、地震による損傷から保護するための転倒防止シートの開発にある。【解決手段】本考案は、転倒防止シートであって（１）プラスチックフィルム乃至プラスチックシートからなる層と、該プラスチックフィルム乃至プラスチックシートの片面に形成した、粘着性を有する高分子からなる粘着性高分子の二層からなる構造を有することを特徴とする。（２）（１）の転倒防止シートにおいて、粘着性高分子層保護のため、容易に剥離可能な保護フィルム層を第三層として有することを特徴とする。【選択図】      図１
0003127282.tif 000002
【実用新案登録請求の範囲】
【請求項１】
プラスチックフィルム乃至プラスチックシートからなる層と、該プラスチックフィルム乃至プラスチックシートの片面に形成した、粘着性を有する高分子からなる粘着性高分子層の二層からなる構造であることを特徴とする転倒防止シート。
【請求項２】
請求項１の転倒防止シートにおいて、粘着性高分子層保護のため、容易に剥離可能な保護フィルム層を第三層として有し、保護フィルム層・粘着性高分子層・プラスチックフィルム乃至プラスチックシート層の、三層を有することを特徴とする転倒防止シート。
【請求項３】
請求項１において、粘着性高分子として、低重合度高分子を含有する高分子であることを特徴とする転倒防止シート。
【請求項４】
請求項１において、粘着性高分子として、低架橋度高分子を含有する架橋高分子であることを特徴とする転倒防止シート
【請求項５】
請求項１において、粘着性高分子として、従来公知の粘着性物質と従来公知の高分子との混合物であることを特徴とする転倒防止シート。
【請求項６】
請求項１、請求項３から選ばれる転倒防止シートにおいて、粘着性高分子として、低重合度ポリウレタンエラストマーであることを特徴とする転倒防止シート。
【請求項７】
請求項１、請求項４から選ばれる転倒防止シートにおいて、粘着性高分子として、低架橋度シリコンゴム、低架橋度アクリルゴム、低架橋度ウレタンゴム、低架橋度ブタジエン系合成ゴムから選ばれた一種であることを特徴とする転倒防止シート。
【請求項８】
請求項１、請求項２から選ばれる転倒防止シートにおいて、プラスチックフィルム乃至プラスチックシートからなる層の形成に使用されるプラスチックスとして、ポリアミド、ポリウレタン、ポリエステル、セルロースアセテート、ポリオレフィンから選ばれる一種であることを特徴とする転倒防止シート。
【請求項９】
請求項２における転倒防止シートにおいて、保護フィルムとしてシリコン加工したシリコン加工フィルムであることを特徴とする転倒防止シート。
【考案の詳細な説明】
【技術分野】
【０００１】
本考案は、転倒防止用シートに関し、更に詳しくは、陶器、仏像、位牌などの物品の転倒防止に有効な転倒防止用シートに関する。
【背景技術】
【０００２】
美術館、博物館において、地震などにより陶器などの美術工芸品が損傷するおそれがある。このため美術館、博物館では、貴重な展示品を不時の災害から保護するため、ピアノ線などを用いて安定化をはかることも行われている。また、寺院、一般家庭においても、仏像、位牌などが倒れ、損傷するおそれがある。このような陶器などの倒壊防止のため種々の方法が提案されている。例えば、軟質合成樹脂シートの片面に、該合成樹脂シートを構成する樹脂より、更に軟質の超軟質合成樹脂層を形成させ、物品をこのシートに載せた時、物品を超軟質合成樹脂層にめり込ませ、転倒防止をはかる方法が（特許文献１）が公知である。
【０００３】
また、ポリエステル樹脂、不織布、和紙などの柔軟性、屈撓性に富むシート状又はフィルム状の基材の片面に、特殊発泡加工により微細孔を有するウレタンフォーム吸着層が形成されている花瓶などの転倒防止用テープが開示されている（特許文献２）。
【０００４】
【特許文献１】特開平９−３２２８４７号公報
【特許文献２】実用新案登録第２５０４７５２号公報
【０００５】
しかし、前記の従来公知の方法では、重量により変形しやすい超軟質樹脂層や、ウレタンフォームを用いているため、長期間経過すると転倒防止シートが変形する欠点がある。また単に超軟質樹脂とすると、漆などに接着して漆を剥離してしまう欠点がある。
【考案の開示】
【考案が解決しようとする課題】
【０００６】
そこで本考案の目的は、漆などを損傷することなく、展示品、仏具などを、地震による損傷から保護するための転倒防止シートの開発である。
【課題を解決するための手段】
【０００７】
すなわち、本考案の転倒防止シートは、以下の特徴を有する。
（１）  プラスチックフィルム乃至プラスチックシートからなる層と、該プラスチックフィルム乃至プラスチックシートの片面に形成した、粘着性を有する高分子からなる粘着性高分子層の二層からなる構造であることを特徴とする。
（２）  （１）の転倒防止シートにおいて、粘着性高分子層保護のため、容易に剥離可能な保護フィルム層を第三層として有し、保護フィルム層・粘着性高分子層・プラスチックフィルム乃至プラスチックシート層の、三層を有することを特徴とする。
（３）  （１）において、粘着性高分子として、低重合度高分子を含有する高分子であることを特徴とする。
（４）  （１）において、粘着性高分子として、低架橋度高分子を含有する架橋高分子であることを特徴とする。
（５）  （１）において、粘着性高分子として、従来公知の粘着性物質と従来公知の高分子との混合物であることを特徴とする。
（６）  （１）、（３）から選ばれる転倒防止シートにおいて、粘着性高分子として、低重合度ポリウレタンエラストマーであることを特徴とする。
（７）  （１）、（４）から選ばれる転倒防止シートにおいて、粘着性高分子として、低架橋度シリコンゴム、低架橋度アクリルゴム、低架橋度ウレタンゴム、低架橋度ブタジエン系合成ゴムから選ばれた一種であることを特徴とする。
（８）  （１）、（２）から選ばれる転倒防止シートにおいて、プラスチックフィルム乃至プラスチックシートからなる層の形成に使用されるプラスチックスとして、ポリアミド、ポリウレタン、ポリエステル、セルロースアセテート、ポリオレフィンから選ばれる一種であることを特徴とする。
（９）  （２）における転倒防止シートにおいて、保護フィルムとしてシリコン加工したシリコン加工フィルムであることを特徴とする。
【０００８】
本考案において、転倒防止のため、転倒防止シートの一面に、粘着性高分子を使用する。粘着性高分子層の上に物品が置かれると、物品と粘着性高分子との間に粘着が起こり、地震に際し、転倒し難いのである。
【０００９】
ここに使用できる粘着性高分子として、低重合度高分子を含有する高分子、低架橋度高分子を含有する架橋高分子、粘着性物質の添加された高分子をあげることができ、具体的には、
低重合度のポリウレタンエラストマー、低架橋度のアクリルゴム、低架橋度のシリコンゴム、低架橋度のウレタンゴム、低架橋度のブタジエンを含む合成ゴムをあげることができる。
【００１０】
高分子は一般に、重合度の上昇、架橋度の上昇に伴い軟化点が上昇するのであるが、本考案では、低重合度、低架橋度のこれら化合物を粘着性高分子として使用する。本考案では粘着性を賦与するのに、低重合度高分子乃至低架橋度高分子を組成の一部として使用するのみであるため、粘着性高分子層が載置する物品の重みで収縮することはなく、長期間経過しても安定している。
【００１１】
別の方法として、低重合度のアクリル酸エステル、未加硫の生ゴム、ポリブテンなど従来公知の粘着剤と、通常の重合度のポリウレタンエラストマーなどの従来公知の高分子や、通常の架橋度の従来公知の高分子との混合物をあげることができる。
【００１２】
本考案の転倒防止シートの他の一面は、プラスチックフィルム乃至プラスチックシートに基づく面である。ここに、プラスチックフィルム乃至プラスチックシートに基づく面は、好ましくは摩擦係数を増加させるため、その表面は粗面であることが好ましい。粗面の方が、摩擦係数が大きく滑り難く、より転倒し難いのである。
【００１３】
粗面とする方法としては、砂などの硬い粒で研磨する方法がある。また成形に際し、溶剤を使用する湿式乃至乾式成形を行えば、粗面となりやすい。溶剤が蒸発乃至抽出される際、表面が粗くなるからである。
【００１４】
物品を該シートの上に置く際、プラスチックフィルム乃至プラスチックシートの面を台の面と向き合う様にすることが好ましい。プラスチックフィルム乃至プラスチックシートの面は、粘着力は弱く、台の漆などを剥離したりするおそれがないからである。
【００１５】
プラスチックフィルム乃至プラスチックシートに使用されるプラスチックスとしては、ポリアミド、ポリエステル、セルロースアセテート、ポリウレタンポリオレフィンをあげることができる。
【００１６】
本考案で使用する転倒防止シートの平面形状としては、該転倒防止シートの上に載る物品の種類に応じ、随時選択可能であるが、具体的には円形、長方形などをあげることができる。
また平面的大きさは、上に載せる物品の形状に応じ、選択することができるが、物品の平面的大きさより小さい方が好ましい。
【００１７】
本考案において、転倒防止シートの厚みとしては、０．０５ミリメートル〜２０．０ミリメートルをあげることができる。０．０５ミリメートルより小さいと、転倒防止効果が少なく、また製造も困難であるからであり、２０．０ミリメートルより大きくなると、効果が飽和し、経済的にも不利となるからである。
【００１８】
本考案において、粘着性高分子からなる層を保護するため、シリコン加工を施したフィルムで保護することが好ましい。空気中に浮遊する塵埃が付着するのを防止するためである。使用に際しては、保護フィルムを剥離して、粘着性高分子層を上にして、プラスチックフィルム層乃至プラスチックシート層を下にして使用する。
【考案を実施するための最良の形態】
【００１９】
図１は、台６の上に、本考案の転倒防止シート１を置き、この上に位牌５を置いた時の斜視図である。フィルム層２として、ポリウレタンエラストマーからなるフィルムを、粘着高分子層３としては、低重合度ポリウレタンエラストマーを使用している。
【００２０】
図２は、台６の上に、本考案の転倒防止シート１を置き、この上に花瓶４を置いた時の斜視図である。フィルム層２として、ポリアミドからなるフィルムを、粘着高分子層３としては、低架橋度アクリルゴムを使用している。
【００２１】
図３は、本考案の転倒防止シートの保護フィルム７を、剥離し始めた時の斜視図である。
フィルム層２として、ポリエステルからなるフィルムを、粘着高分子層３としては、低架橋度アクリルゴムとアクリル酸エステル重合物との混合物を使用している。また保護フィルム７としては、シリコン加工したポリエステルフィルムを使用している。
【００２２】
以上の説明によって明らかな様に、本考案による転倒防止シートは、以下に列挙した如き、実用上の好ましい効果を奏する。
（ａ）  倒れた時損傷しやすい、花瓶、茶碗などの陶磁器、位牌などを保護することが可能である。
（ｂ）  従来から存在する台、棚の大幅な変更を行うことなく実施可能であり、改造費用も低くおさえることが可能であり、広く採用可能となる。
（ｃ）粘着性を賦与するのに、低重合度高分子乃至低架橋度高分子を組成の一部として使用するのみであるため、粘着性高分子層が載置する物品の重みで収縮することはなく、長期間経過しても安定している。
（ｄ）  また従来から存在する漆などの塗面を痛めることがない。
（ｅ）  使用する材料は環境に対する影響がなく、安全である。
【図面の簡単な説明】
【００２３】
【図１】台の上に、本考案の転倒防止シートを置き、この上に位牌を置いた時の斜視図である。
【図２】台の上に、本考案の転倒防止シートを置き、この上に花瓶を置いた時の斜視図である。
【図３】本考案の転倒防止シートの保護フィルムを剥離し始めた時の斜視図である。
【符号の説明】
【００２４】
１    転倒防止シート
２    プラスチックフィルム層乃至プラスチックシート層
３    粘着性高分子層
４    花瓶
５    位牌
６    台
７    保護フィルム層
【図１】
0003127282.tif 000003
【図２】
0003127282.tif 000004
【図３】
0003127282.tif 000005
【手続補正書】
【提出日】平成18年9月22日(2006.9.22)
【手続補正１】
【補正対象書類名】実用新案登録請求の範囲
【補正対象項目名】請求項５
【補正方法】変更
【補正の内容】
【請求項５】
請求項１において、粘着性高分子として、粘着性物質と高分子との混合物であることを特徴とする転倒防止シート。
【手続補正２】
【補正対象書類名】明細書
【補正対象項目名】０００７
【補正方法】変更
【補正の内容】
【０００７】
すなわち、本考案の転倒防止シートは、以下の特徴を有する。
（１）  プラスチックフィルム乃至プラスチックシートからなる層と、該プラスチックフィルム乃至プラスチックシートの片面に形成した、粘着性を有する高分子からなる粘着性高分子層の二層からなる構造であることを特徴とする。
（２）  （１）の転倒防止シートにおいて、粘着性高分子層保護のため、容易に剥離可能な保護フィルム層を第三層として有し、保護フィルム層・粘着性高分子層・プラスチックフィルム乃至プラスチックシート層の、三層を有することを特徴とする。
（３）  （１）において、粘着性高分子として、低重合度高分子を含有する高分子であることを特徴とする。
（４）  （１）において、粘着性高分子として、低架橋度高分子を含有する架橋高分子であることを特徴とする。
（５）  （１）において、粘着性高分子として、粘着性物質と高分子との混合物であることを特徴とする。
（６）  （１）、（３）から選ばれる転倒防止シートにおいて、粘着性高分子として、低重合度ポリウレタンエラストマーであることを特徴とする。
（７）  （１）、（４）から選ばれる転倒防止シートにおいて、粘着性高分子として、低架橋度シリコンゴム、低架橋度アクリルゴム、低架橋度ウレタンゴム、低架橋度ブタジエン系合成ゴムから選ばれた一種であることを特徴とする。
（８）  （１）、（２）から選ばれる転倒防止シートにおいて、プラスチックフィルム乃至プラスチックシートからなる層の形成に使用されるプラスチックスとして、ポリアミド、ポリウレタン、ポリエステル、セルロースアセテート、ポリオレフィンから選ばれる一種であることを特徴とする。
（９）  （２）における転倒防止シートにおいて、保護フィルムとしてシリコン加工したシリコン加工フィルムであることを特徴とする。